(57)【要約】      （修正有）【課題】納骨のための手軽な石材から成る墓であって、墓の増減も容易にできることを可能とする棚状の墓を提供する。【解決手段】骨壺を納骨する墓石を複数含めた棚状の構造を有する納骨用棚墓１００であって、中空の直方形状に形成された石部材で構成され、少なくとも１つの開口面および開口面から骨壺を収容する収容部をそれぞれ有する複数の墓石部材と、蓋状に形成された石部材で構成され、各墓石部材の収容部を封止するように開口面にそれぞれ嵌合する複数の前蓋１２０とを備え、複数の墓石部材が、鉛直方向において積み上げられ、それぞれ前蓋を着脱可能に配置される。【選択図】図１
0003222057.tif 000002
【実用新案登録請求の範囲】
【請求項１】
骨壺を納骨する墓石を複数含めた棚状の構造を有する納骨用棚墓であって、
中空の直方形状に形成された石部材で構成され、少なくとも１つの開口面および前記開口面から骨壺を収容する収容部をそれぞれ有する複数の墓石部材と、
蓋状に形成された石部材で構成され、前記各墓石部材の収容部を封止するように前記開口面にそれぞれ嵌合する複数の前蓋とを備え、
前記複数の墓石部材が、鉛直方向において積み上げられ、それぞれ前記前蓋を着脱可能に配置されたことを特徴とする納骨用棚墓。
【請求項２】
請求項１に記載の納骨用棚墓において、さらに、
石部材で構成され、前記鉛直方向において前記墓石部材の間に配置される少なくとも１つの中蓋を備えることを特徴とする納骨用棚墓。
【請求項３】
請求項２に記載の納骨用棚墓において、
前記鉛直方向に積み上げられた墓石部材の個数は３個であり、
前記中蓋の個数は２個であることを特徴とする納骨用棚墓。
【請求項４】
請求項２又は３に記載の納骨用棚墓において、
前記墓石部材は、前記鉛直方向において互いに対向する二つの開口面と、前記前蓋が嵌合する開口面とが前記収容部に連通するように形成され、
さらに、
蓋状に形成された石部材で構成され、前記鉛直方向における最も上側の墓石部材の開口面に嵌合する上蓋と、
蓋状に形成された石部材で構成され、前記鉛直方向における最も下側の墓石部材の開口面に嵌合する下蓋とを備えることを特徴とする納骨用棚墓。
【請求項５】
請求項４に記載の納骨用棚墓において、
前記鉛直方向に積み上げられた各墓石部材、並びに前記上蓋、前記中蓋及び前記下蓋をそれぞれ貫通して互いに連結する連結部材をさらに備えることを特徴とする納骨用棚墓。
【請求項６】
請求項１〜５のいずれか１項に記載の納骨用棚墓において、
前記複数の墓石部材が前記鉛直方向に積み上げられた組を複数組、含むことを特徴とする納骨用棚墓。
【考案の詳細な説明】
【技術分野】
【０００１】
本考案は、骨壺を収容する納骨用の墓に関し、密閉可能な棚状に構成された墓に関する。
【背景技術】
【０００２】
特許文献１では、階層納骨構造であって、納骨のための収容空間を鉛直方向に沿って容易に増減できる階層収容ユニットが開示されている。
【０００３】
具体的には、階層納骨ユニットは、金属から成るフレーム部材と石部材と、を備える多角柱状の柱体である。フレーム部材は、水平方向に沿って隣接する複数の区分収容空間を構成する。石部材は、このフレーム部材の一部を覆う。また、フレーム部材は、鉛直方向に延びる支柱部と支柱部から径方向外側に向かって伸びる壁部も構成している。階層納骨ユニットは、フレーム部材を活用して軽量化が図られ、総重量が低減できることが開示されている。
【先行技術文献】
【特許文献】
【０００４】
【特許文献１】特許第６４３１２２２号公報
【考案の概要】
【考案が解決しようとする課題】
【０００５】
しかしながら、階層納骨ユニットは、フレーム部材を多く用いることで複雑になり、大掛かりな構造となっている。その分初期投資に掛かる費用負担も大きくなり、手軽に導入することは困難である。
【０００６】
本考案は、納骨のための手軽な石材から成る墓であって、墓の増減も容易にできることを可能とする棚状の墓を提供することを目的とする。
【課題を解決するための手段】
【０００７】
第１の考案は、骨壺を納骨する墓石を複数含めた棚状の構造を有する納骨用棚墓であって、
中空の直方形状に形成された石部材で構成され、少なくとも１つの開口面および前記開口面から骨壺を収容する収容部をそれぞれ有する複数の墓石部材と、
蓋状に形成された石部材で構成され、前記各墓石部材の収容部を封止するように前記開口面にそれぞれ嵌合する複数の前蓋とを備え、
前記複数の墓石部材が、鉛直方向において積み上げられ、それぞれ前記前蓋を着脱可能に配置されたことを特徴とする。
【０００８】
第２の考案は、第１の考案に記載の納骨用棚墓において、さらに、
石部材で構成され、前記鉛直方向において前記墓石部材の間に配置される少なくとも１つの中蓋を備えることを特徴とする。
【０００９】
第３の考案は、第２の考案に記載の納骨用棚墓において、
前記鉛直方向に積み上げられた墓石部材の個数は３個であり、
前記中蓋の個数は２個であることを特徴とする。
【００１０】
第４の考案は、第２又は３の考案に記載の納骨用棚墓において、
前記墓石部材は、前記鉛直方向において互いに対向する二つの開口面と、前記前蓋が嵌合する開口面とが前記収容部に連通するように形成され、
さらに、
蓋状に形成された石部材で構成され、前記鉛直方向における最も上側の墓石部材の開口面に嵌合する上蓋と、
蓋状に形成された石部材で構成され、前記鉛直方向における最も下側の墓石部材の開口面に嵌合する下蓋とを備えることを特徴とする。
【００１１】
第５の考案は、第４の考案に記載の納骨用棚墓において、
前記鉛直方向に積み上げられた各墓石部材、並びに前記上蓋、前記中蓋及び前記下蓋をそれぞれ貫通して互いに連結する連結部材をさらに備えることを特徴とする。
【００１２】
第６の考案は、第１〜５の考案のいずれか１項に記載の納骨用棚墓において、
前記複数の墓石部材が前記鉛直方向に積み上げられた組を複数組、含むことを特徴とする。
【考案の効果】
【００１３】
本考案によると、石材から成る棚状に構成された手軽な墓を提供することができる。よって、墓の取得と維持が容易にできるとともに、墓を容易に増減できることから、墓地を有効活用することができる。
【図面の簡単な説明】
【００１４】
【図１】本考案の実施形態に係る納骨用棚墓を示す斜視図である。
【図２】本考案の実施形態に係る納骨用棚墓を示す（ａ）は上面図、（ｂ）は正面図、（ｃ）は側面図である。
【図３】本考案の実施形態に係る納骨用棚墓の前蓋を外している納骨用棚墓を示す斜視図である。
【図４】本考案の実施形態に係る納骨用棚墓の前蓋を外している納骨用棚墓を示す（ａ）は上面図、（ｂ）は正面図、（ｃ）は側面図である。である。
【図５】納骨用棚墓を構成する１個の本体について、（ａ）は上面図、（ｂ）は正面図、（ｃ）は側面図である。
【図６】本考案の実施形態に係る納骨用棚墓の前蓋を示す（ａ）は上面図、（ｂ）は正面図、（ｃ）は側面図である。
【図７】本考案の実施形態に係る納骨用棚墓の上蓋を示す（ａ）は上面図、（ｂ）は正面図、（ｃ）は側面図、（ｄ）は底面図である。
【図８】本考案の実施形態に係る納骨用棚墓の下蓋を示す（ａ）は上面図、（ｂ）は正面図、（ｃ）は側面図、（ｄ）は底面図である。
【図９】本考案の実施形態に係る納骨用棚墓の中蓋を示す（ａ）は上面図、（ｂ）は正面図、（ｃ）は側面図、（ｄ）は底面図である。
【図１０】本考案の実施形態に係る納骨用棚墓を水平方向に２連配置した状態を示す斜視図である。
【考案を実施するための形態】
【００１５】
近年、墓に関しては、核家族化や高齢者の増加、墓の承継者の不在による無縁墓の増加、特に都心部においては墓地の不足等、問題が多く指摘されている。よって、従来の一般墓に代えて、簡易で効率的に利用可能な様々な納骨形態が提案されている。樹木葬、合同墓、納骨堂等は、安価で便利に使用できるという利点のある反面、運営等の不安や合祀への抵抗感から躊躇する人も多い。そのため永代供養墓へお骨を入れる合祀の形ではなく、また、従来の一般的な墓とも異なる、手軽に個人が所有できる墓が求められていた。
【００１６】
そこで、考案者は、個人（または家）が従来の一般的な墓よりも取得し易く、維持管理が手軽にできるとともに、墓を管理する寺院においても、墓地を有効利用できることを可能とする、石から成る墓を着想した。
【００１７】
以下、本考案に係る納骨用棚墓の形態を、図面を用いて説明する。
【００１８】
図１は、本考案の実施形態に係る納骨用棚墓１００を示す斜視図である。図２において、本考案の実施形態に係る納骨用棚墓１００を示す（ａ）は上面図、（ｂ）は正面図、（ｃ）は側面図である。
【００１９】
図１に示すように、本考案の納骨用棚墓１００は、密閉可能な棚状の墓石である。例えば納骨用棚墓１００は、３段の墓を備える。
【００２０】
納骨用棚墓１００は、３段分の墓石部材を箱状に構成する３つの本体１１０と、各本体１１０の蓋を構成する複数の蓋１２０〜１５０とを備える。
【００２１】
図２に示すように、各本体１１０の内部は空洞であり、骨壺を収容する収容部１７０を構成する。
【００２２】
各本体１１０による１段は、それぞれ１つの家（個人）が所有する墓である。１段の墓を構成する本体１１０の収容部１７０の中には、一般的な墓のように、骨壺を収容できる。例えば、収容部１７０は、４個の骨壺を収容することができる。
【００２３】
本考案の納骨用棚墓１００は、図１に示すように、本体１１０の正面（前）側に、前蓋１２０を備える。前蓋１２０には、名前等の文字や家紋等を彫ることができる。これにより納骨用棚墓１００は、棚の段毎に別々の家（個人）の墓として、認識できる。更に、前蓋１２０によって、本体１１０の前面に設けられる前面穴は塞がれる。前蓋１２０は形状等に工夫がなされ、雨水等が墓内部（１７０）に浸入することを防ぐことができる。
【００２４】
図１、２に示すように、例えば、３段の納骨用棚墓１００は、３個の本体１１０と蓋１３０〜１５０とを組み合わせて積み上げることにより、３段に仕切られて形成される。納骨用棚墓１００は、一般的な墓のように、寺の境内に設置される。
【００２５】
図３は、本考案の実施形態に係る、前蓋１２０を外している納骨用棚墓を示す斜視図である。図４において、前蓋１２０を外している納骨用棚墓１００を示す（ａ）は上面図、（ｂ）は正面図、（ｃ）は側面図である。
【００２６】
前蓋１２０は、本体１１０の前面の開口（前面穴）に着脱可能に設置される。図３において、前蓋１２０は外されている。
【００２７】
また、図３において、本体１１０の上面の上蓋１３０は嵌められているが、上蓋１３０も外すことができる。上蓋１３０を外すと、後述するように、本体１１０の上面には、貫通穴が設けられている（図４（ａ）参照）。
【００２８】
図４（ａ）に示すように、納骨用棚墓１００において、３段目本体１１０の上面は、上蓋１３０が設置され、これにより貫通穴は閉じられる。図４（ｂ）に示すように、本体１１０の前面は、前面穴が設けられ、前面穴の周囲４辺に石が枠状に形成される。本体１１０の前面は、枠状の石材によって構成される。
【００２９】
図４（ｂ）に示すように、１段目本体１１０の底面は、下蓋１５０が設置される。後述するように、本体１１０の底面には、上面と同様の貫通穴が設けられている（図５（ｃ）参照）。１段目本体１１０と２段目本体１１０、２段目本体１１０と３段目本体１１０の間には、それぞれ中蓋１４０が設置される。蓋で穴を閉じることにより、上下面を貫通する貫通穴は閉じられる。貫通穴が閉じられることによって、図４（ｃ）に示すように、３段の本体１１０の各内部は、空洞を形成し、収容部１７０を構成する。
【００３０】
図４（ｂ）、（ｃ）に示すように、納骨用棚墓１００において、長いネジが、鉛直方向に３段の本体及び蓋を貫通して、３段の墓を連結している。このネジの長さは、互いに連結する上蓋１３０、本体１１０、中蓋１４０、下蓋１５０の高さ以上に設定される。納骨用棚墓１００において、４本の長いネジ１６０は、４個の角付近を鉛直方向に貫通している。なお、図中では、ネジ１６０とネジ山は一般的なものであるので省略しており、ネジを通す貫通穴が示されている。
【００３１】
図５は、納骨用棚墓１００を構成する１個の本体１１０について、（ａ）は上面図、（ｂ）は正面図、（ｃ）は側面図である。図５は、収容部１７０（又は本体１１０）の蓋を開けた状態である。
【００３２】
図５（ａ）に示すように、箱本体１１０の上面１１２には、矩形の開口による掘り込み穴（上面穴１７２）が設けられている。上面穴１７２は、上面１１２から内部の石を刳り貫くことにより形成される。また、図５（ｃ）側面図に示すように、箱本体１１０の底面１１３にも、上面穴１７２と同様の大きさを有する、矩形の開口による掘り込み穴（底面穴という）が設けられている。底面穴１７３は、底面１１３から内部の石を刳り貫くことにより形成される。図５（ｃ）に示されるように、上面穴１７２と底面穴１７３とは、貫通している。本体１１０の内部に貫通穴を設けることにより、本体１１０は、内部が空洞となり、収納部１７０を構成できる（図２，４参照）。
【００３３】
図５（ｂ）に示すように、箱本体１１０の正面（前面）１１１には、矩形の開口による掘り込み穴（前面穴という）が設けられている。この前面穴１７１は、前記上下貫通する前記空洞へと繋がる（図４参照）。このように、石材からなる本体１１０を刳り貫くことによって、容易に本体１１０の内部に収容部１７０を形成することができる。これにより、本体１１０の製造を容易化できる。
【００３４】
図５（ａ）において、例えば、本体１１０の上面１１２は、１辺の長さは略４０．０センチメートルの正方形である。上面１１２に設けられる上面穴１７２の大きさは、例えば、一辺略２８．０センチメートルの正方形である。本体１１０の上面１１２において、上面穴１７２の周囲４辺の外周部分には、石材からなる枠が残っている。例えば、上面１１２は、幅略６．０センチメートルの石の枠である。
【００３５】
本体１１０の底面１１３は、上面１１２と同様に、底面１１３に設けられる底面穴１７３の外周囲部分に、石枠が形成されている。石枠の大きさや形状は、上面１１２のものと同じである。
【００３６】
図５（ｂ）において、例えば、本体１１０の正面１１１は、横辺（水平方向）の長さが、略４０．０センチメートル、縦辺（垂直方向）の長さが、略３３．０センチメートルの長方形である。前面１１１に設けられる前面穴１７１の大きさは、例えば、縦辺が略２８．２センチメートル、横辺が略２７，４センチメートルの長方形である。前面１１１において、前面穴１７１の周囲４辺の外周部分には、石材からなる石枠が残っている。例えば、前面１１１は、縦辺に幅略６．３センチメートル、上横辺に幅略２．５センチメートル、下横辺に幅略２．３センチメートルの石枠である。
【００３７】
また、図５（ｂ）に示すように、前面穴１７１の外周の縦辺から上横辺に亘る３辺には、溝１１９が設けられている。正面図（ｂ）において、溝１１９は、例えば、幅略１．２センチメートルである。前面穴１７１の溝１１９により、石材から成る前蓋１２０は、安定して前面穴１７１に収まることができる（図２参照）。前面穴１７１の内径の長さは、例えば、縦辺が略２７．０センチメートル、横辺が略２５．０センチメートルの長方形となる。
【００３８】
図５（ｃ）に示されるように、側面１１７及び背面１１８には掘り込み穴は設けられず、両側面１１７及び背面１１８は平面である。本体１１０において、内部に設けられる大きな石の空洞１７０は、石材よりなる平面と石枠によって形成される。本体１１０の収容部１７０の大きさは、例えば、縦、横略２８．０センチメートル、高さ略２９．０センチメートルの略立方体である。
【００３９】
本考案の棚墓１００において、１基の墓は、例えば、一辺略４０．０センチメートルの略立方体である。棚墓１００は、例えば、３基積み上げて形成される（図１，２参照）。棚墓１００の大きさは、例えば、横辺が略４０センチメートル、奥行きが略４１センチメートル、高さが略１２３センチメートルの略直方体となる。
【００４０】
図５（ａ）に示すように、本体１１０には４つの角近辺に、鉛直方向に貫通する穴１６１が設けられている。３段の棚墓１００を組み立てる際に、穴１６１に長いネジ１６０を貫通させて、３段を連結させる。また、立方体形状の本体１１０の縦（鉛直方向）４辺及び略立方体形状の収容部１７０の縦４辺には、角取用のアール加工が施されている（図５（ａ）参照）。なお図５（ｂ）（ｃ）では、図が複雑になることを避けるためにこれを省略している。
【００４１】
図６は、本考案の実施形態に係る納骨用棚墓１００の前面穴１７１に設置される前蓋１２０を示す（ａ）は上面図、（ｂ）は正面図、（ｃ）は側面図である。
【００４２】
図６（ａ）に示されるように、前蓋１２０は、銘板１２１と支持部１２２とを有する。銘板１２１は、平板状の石であって、所望する氏名、家名等の文字等を彫ることができる。図６では文字等は省略している。図６（ｃ）に示されるように、支持部１２２は、傾斜をかけて、低重心にしている。そのため前蓋１２０を前面穴に嵌めたときに、安定性が良く、密着して嵌まることができて、雨水等も浸み込み難い。最終的には、前蓋１２０の周囲をシリコン等でシーリングすることにより、さらに水の浸み込みを防げる。また、前蓋１２０を開けたいときは、シリコンを切り取れば簡単に前蓋１２０を外すことができる。
【００４３】
図６（ｂ），（ｃ）において、前蓋１２０の銘板１２１は、例えば、その大きさは、水平方向（横方向）に略２７．０センチメートル、垂直方向（縦方向）に略２８．０センチメートル、厚み略１．５センチメートルである。銘板１２１の表面は、前面１１１穴に装着される際に、前面１１１よりも少し前（外側）に出ている（図２参照）。
【００４４】
図６（ｃ）に示されるように、支持部１２２の側面１２３は台形形状を有する。前蓋１２０の支持部１２２は、前面穴１７１（図５（ｂ））の中に収まる。図６（ａ），（ｃ）において、支持部１２２の銘板１２１に接する面の大きさは、例えば、横が略２４．６センチメートル、縦が略２６．８センチメートルである。支持部側面１２３の大きさは、例えば、上辺略５．０センチメートル、底辺略８．０センチメートル、高さ略２６．８センチメートルである。支持部１２２はこのように低重心形状であることによって、前面穴１７１の中に安定して収まるため、石から成る前蓋１２０はズレや歪みを生じ難く、収容部１７０の気密性は保持される。
【００４５】
図７は、本考案の実施形態に係る納骨用棚墓１００の上面穴に設置される上蓋１３０を示す（ａ）は上面図、（ｂ）は正面図、（ｃ）は側面図、（ｄ）は底面図である。
【００４６】
上蓋１３０は、鉛直方向において最も上側の本体１１０の上面１１２に設けられた上面穴１７２を塞ぐ。上蓋１３０は、納骨用棚墓１００の天板となる（図４参照）。図７（ｂ），（ｃ）に示されるように、上蓋１３０は、蓋基部１３１と凸部１３５とを備える。蓋基部１３１は、上蓋１３０を本体１１０の上面穴１７２に嵌めた際に、上面穴１７２から外側に出ている。凸部１３５は、上蓋１３０を嵌めた際に、上面穴１７２の中に嵌まり込む。本体１１０において、凸部１３５は、上面穴１７２を閉じるとともに上面１１２の一部となる。
【００４７】
図７において、蓋基部１３１は、例えば、１辺略４０．０センチメートルの正方形であり、厚み１３２は略６．０センチメートルである。凸部１３５は、例えば、１辺略２７．６センチメートルの正方形であり、厚み１３６は略２．０センチメートルである。上蓋１３０の厚みは、略８．０センチメートルである。
【００４８】
図７（ａ），（ｄ）に示されるように、略正方形状の上蓋基部１３１の４個の角近辺には、ネジ穴１６１が設けられている。これは、前述の本体１１０の上面１１２に設けられるネジ穴１６１（図５（ａ）参照）に繋がる。図７（ａ），（ｄ）において、ネジ穴１６１は、正方形の角近辺の４か所に設けられ、例えば、直角を成す２辺より内側に向けて略３．０センチメートルの位置に形成される。ネジ穴１６１は、棚墓１００を鉛直方向に貫通する貫通穴である。前述したように棚墓１００において、４か所に設けられた貫通ネジ穴１６１に、長いネジ１６０を差し込み固定することにより、３段の墓を鉛直方向に連結させる。
【００４９】
図７（ａ），（ｄ）に示されるように、蓋基部１３１の厚み１３２部分の４辺及び凸部１３５の厚み１３６部分の４辺には、角取用のアール加工が施されている。蓋基部１３１の表面は、綺麗に研磨されて、美観に優れた棚墓の天板を形成することができる。
【００５０】
図８は、本考案の実施形態に係る納骨用棚墓１００の底面穴１７３に設置される下蓋１５０を示す（ａ）は上面図、（ｂ）は正面図、（ｃ）は側面図、（ｄ）は底面図である。
【００５１】
下蓋１５０は、納骨用棚墓１００の１段目本体１１０の底面１１３に設けられた底面穴１７３を塞ぐ。下蓋１５０は、例えば、図７に示される上蓋１３０と上下逆の形状を有する。図８（ｂ），（ｃ）に示されるように、下蓋１５０は、蓋基部１５１と凸部１５５とを備える。
【００５２】
本体１１０において、下蓋１５０の凸部１５５は、底面穴１７３を閉じるとともに、底面１１３の一部となる。下蓋１５０は、１段目の本体１１０の底面穴１７３を閉じる蓋であるとともに、納骨用棚墓１００を構成する３段分の石箱を積んでいく際に、１段目の棚板を構成する棚石でもある。
【００５３】
図９は、本考案の実施形態に係る納骨用棚墓の中蓋１４０を示す（ａ）は上面図、（ｂ）は正面図、（ｃ）は側面図、（ｄ）は底面図である。
【００５４】
図９（ｂ），（ｃ）に示されるように、中蓋１４０は、上面、下面にそれぞれ凸部を有する。中蓋１４０は、蓋基部１４１と２個の凸部１４５とを備える。中蓋１４０は、本体１１０を積み上げる際に、上側の本体１１０と、下側の本体１１０との間に設けられる。中蓋１４０は、上側本体１１０の底面穴１７３と下側本体１１０の上面穴１７２の両方を同時に塞ぐ蓋である。例えば３段の納骨用棚墓１００において、中蓋１４０は、１段目本体１１０と２段目本体１１０の間、及び２段目本体１１０と３段目本体１１０の間に設置される。凸部１４５は、下側本体１１０において、上面穴１７２を閉じて、上面１１２の一部となり、また、上側本体１１０において、底面穴１７３を閉じて、底面１１３の一部となる。納骨用棚墓１００において、中蓋１４０は、２段目及び３段目の棚板を構成する棚石でもある。
【００５５】
図９において、中蓋基部１４１は、例えば、１辺略４０．０センチメートルの正方形であり、厚み１４２は略６．０センチメートルである。また、凸部１４５は、例えば、１辺略２７．６センチメートルの正方形であり、厚み１４６は略２．０センチメートルである。中蓋１４０の厚みは、略１０．０センチメートルである。
【００５６】
図９（ａ），（ｄ）に示されるように、蓋基部１４１の４個の角近辺に、ネジ穴１６１が設けられている。また、納骨用棚墓１００において、２段目、３段目の棚石を構成する中蓋１４０の蓋基部１４１は、例えば側面において、綺麗に研磨される。
【００５７】
３段の棚墓１００において、下側から１段目の本体１１０は、上面１１２を中蓋１４０の下凸部１４５で閉じられ、底面１１３を下蓋１５０の凸部１５５で閉じられ、前面１１１は前蓋１２０によって閉じられる（図２，４，５参照）。本体１１０は閉鎖されて収納部１７０を有する１段目の墓が形成される。２段目の本体１１０は、底面１１３を中蓋１４０の上凸部１４５で閉じられ、上面１１２を別の中蓋１４０の下凸部１４５で閉じられ、前面１１１は前蓋１２０によって閉じられる（図２，４参照）。本体１１０は閉鎖されて収納部１７０を有する２段目の墓が形成される。３段目の本体１１０は、底面１１３を中蓋１４０の上凸部１４５で閉じられ、上面１１２を上蓋１３０の凸部１３５で閉じられ、前面１１１は前蓋１２０によって閉じられる（図２，４参照）。本体１１０は閉鎖されて収納部１７０を有する３段目の墓が形成される。
【００５８】
納骨用棚墓１００の組み立ては、次のような手順となる（図４，５参照）。納骨用棚墓１００の１段目は、１個目の本体１１０の底面穴１７３に下蓋１５０を嵌め、上面穴１７２に中蓋１４０を嵌めこむ。底面穴１７３と上面穴１７２は閉められて、１段目の墓が作られる。次に、２段目は、該中蓋１４０の上に、底面穴１７３を嵌めるように２個目の本体１１０を積み上げる。底面穴１７３は閉じられる。２個目の本体１１０の上面穴１７２に、２個目の中蓋１４０を嵌め、上面穴１７２は閉じられる。２段目の墓が作られる。次に、３段目は、２個目の中蓋１４０の上に、底面穴１７３を嵌めこむように３個目の本体１１０を積み上げる。底面穴１７３は閉じられる。上面穴１７２に上蓋１３０を嵌めて上面穴１７２は閉じられる。３段目の墓が作られる。
【００５９】
次に、上蓋１３０の４か所の穴１６１に、長いネジ１６０を入れ、上蓋から３段の墓を貫通させて、棚墓の基礎部分まで通して固定する。納骨用棚墓１００を設置する基礎には、アンカーを打ち込んでおく。ネジ１６０の下部は、アンカーに結合させる。ネジ１６０の上は、上蓋１３０にナットで固定される。石材からなる３段の墓は、セメントやボンドを使用しないで、４本のネジによって鉛直方向に連結される。棚墓１００は、ネジ１６０を地中に埋め込んでいるから、倒れ難い。棚墓１００は、耐震に配慮された構造を有する。
【００６０】
また、積み上げる際に、本体１１０や蓋１３０〜１５０に、ボンド等の接着剤やセメント等を使用しないので、それらによる納骨用棚墓１００の経年劣化を回避できる。また、例えば、無縁墓になった場合等、棚墓１００から墓を取り外す場合にも、工事を容易にすることができる。
【００６１】
図１０は、本考案の実施形態に係る納骨用棚墓１００を水平方向に２連配置した状態を示す斜視図である。
【００６２】
図１０に示されるように、納骨用棚墓１００は、複数個水平方向に並べて配置することができる。棚墓１００の数を増減することが容易にできるので、状況に応じて墓地を有効に活用することができる。
【００６３】
以上のように、納骨用棚墓１００は、３段に墓を積み上げることが可能であり、設置に要する場所が少なくて済むので、墓地の効率的な活用を可能とする。また、石材から成る納骨用棚墓１００は、構造的に作り易く、規模的にも作り易い墓である。納骨用棚墓１００は、墓を増やしたり減らしたりする自由度が大きいことに特徴がある。
【００６４】
納骨用棚墓１００は、容易に撤去できる。そのため骨壺を棚墓から取り出して、永代供養墓へ移設することも容易にできる。例えば、納骨用棚墓１００によれば、寺院と施主の間で、骨壺を保管する期間を予め定めておいて、それを過ぎれば骨を寺の永代供養墓に納めるプランを提供することもできる。納骨用棚墓１００は、例えば、石材店から施主に販売・斡旋する。墓の工事は石材店が寺院に対して行う。施主は、寺院に対して御骨を納骨して、お布施等を払う。寺院は、施主に対して法要・管理運営を行う。納骨用棚墓１００は、施主、石材店、寺院の３者において役割分担が明瞭であるため、施主への提供もし易いし、寺院への納入もし易い。納骨用棚墓１００は、今の時代に合った新しい形の墓として利用できる。
【００６５】
棚墓１００は、例えば、本体部材と蓋部材を色の異なる２種類の御影石より作成することができる。例えば、本体は、青御影（色はグレイ）、蓋部材は黒御影（色は黒）とし、美観に優れた墓を作成できる。
【００６６】
以上のように、本実施の形態に係る納骨用棚墓１００は、骨壺を納骨する墓石を複数含めた棚状の構造を有する。納骨用棚墓１００は、複数の本体１１０（墓石部材）と、複数の前蓋１２０とを備える。複数の本体１１０は、中空の直方形状に形成された石部材で構成され、少なくとも１つの開口面としての前面１１１および前面１１１から骨壺を収容する収容部１７０をそれぞれ有する。複数の前蓋１２０は、蓋状に形成された石部材で構成され、各本体１１０の収容部１７０を封止するように前面１１１（の開口部）にそれぞれ嵌合する。納骨用棚墓１００は、複数の本体１１０が、鉛直方向において積み上げられ、それぞれ前蓋１２０を着脱可能に配置される。
【００６７】
以上の構成により、納骨用棚墓１００は、１基分の土地に、複数基の墓を積み上げて設置できるので、墓地を有効利用することができる。着脱可能に配置された前蓋１２０を開閉することにより、本体１１０（墓石部材）の内部に骨壺を納めたり、または取り出したりすることを容易にできる。前蓋１２０を構成する銘板１２１には、一般墓のように、所有者の所望する名前や家名等の文字等を彫れる。それにより納骨用棚墓１００は、寺の境内に一般の墓に隣接して設置された際に、周囲の一般の墓と調和して違和感等を軽減できる。
【００６８】
本実施の形態に係る納骨用棚墓１００は、さらに、石部材で構成され、鉛直方向において本体１１０の間に配置される少なくとも１つの中蓋１４０を備える。
【００６９】
以上の構成により、納骨用棚墓１００は、中蓋１４０を棚板として、その上に本体１１０を積み上げられる。納骨用棚墓１００において、中蓋１４０は本体１１０の間を仕切る棚板の役割を果たす。
【００７０】
本実施の形態に係る納骨用棚墓１００は、鉛直方向に積み上げられた本体１１０の個数は３個であり、中蓋１４０の個数は２個である。
【００７１】
以上の構成により、納骨用棚墓１００は、骨壺を納骨する墓石を３段に積み上げられた棚状の構造となる。納骨用棚墓１００において、３基の墓が形成される。
【００７２】
本実施の形態に係る納骨用棚墓１００において、本体１１０は、鉛直方向において互いに対向する二つの開口面（上面穴１７２と底面穴１７３）と、前蓋１２０が嵌合する開口面（前面穴１７１）とが収容部１７０に連通するように形成されてもよい。さらに、蓋状に形成された石部材で構成された、上蓋１３０と下蓋１５０を備える。上蓋１３０は、鉛直方向における最も上側の本体１１０の開口面（上面穴１７２）に嵌合する。下蓋１５０は、鉛直方向における最も下側の本体１１０の開口面（底面穴１７３）に嵌合する。
【００７３】
以上の構成により、納骨用棚墓１００において、本体１１０は、鉛直方向において互いに対向する二つの開口面（上面穴１７２と底面穴１７３）が設けられる。上面穴１７２と底面穴１７３から、容易に内部の石を掘り込むことができ、本体１１０を容易に作製できる。本体１１０の間に位置する上面穴１７２と底面穴１７３は、中蓋１４０によって閉じられる。最も上側の本体１１０の上面穴１７２は、上蓋１３０によって閉じられる。最も下側の本体１１０の底面穴１７３は、下蓋１５０によって閉じられる。本体１１０の内部に収容部１７０が形成される。
【００７４】
納骨用棚墓１００は、鉛直方向に積み上げられた各本体１１０（墓石部材）、並びに上蓋１３０、中蓋１４０及び下蓋１５０をそれぞれ貫通して互いに連結する連結部材として長いネジ１６０をさらに備えてもよい。また、本体１１０には、必ずしも上面穴１７２、下面穴１７３が設けられなくてもよい。この場合、上蓋１３０及び下蓋１５０等が省略されてもよい。
【００７５】
本実施の形態に係る納骨用棚墓１００において、複数の本体１１０が鉛直方向に積み上げられた組を複数組、含む。
【００７６】
以上の構成により、納骨用棚墓１００は、例えば、鉛直方向に３段積み上げられた棚墓を水平方向に並べて配置することができる。墓を増やすことが容易にでき、墓地の有効利用に繋がる。
【符号の説明】
【００７７】
１００      納骨用棚墓
１１０      本体
１１１      前面（正面）
１１２      上面
１１３      下面（底面）
１１７      側面
１１８      背面
１１９      溝部
１２０      前蓋
１２１      銘板
１２２      支持部
１２３      支持部側面
１３０      上蓋
１３１      蓋基部
１３５      凸部
１４０      中蓋
１４１      蓋基部
１４５      凸部
１５０      下蓋
１５１      蓋基部
１５５      凸部
１６０      長いネジ
１６１      ネジ穴
１７０      収容部
１７１      前面穴
１７２      上面穴
１７３      底面穴
【図１】
0003222057.tif 000003
【図２】
0003222057.tif 000004
【図３】
0003222057.tif 000005
【図４】
0003222057.tif 000006
【図５】
0003222057.tif 000007
【図６】
0003222057.tif 000008
【図７】
0003222057.tif 000009
【図８】
0003222057.tif 000010
【図９】
0003222057.tif 000011
【図１０】
0003222057.tif 000012